(57)【要約】【課題】  記録媒体に固有の画像情報を利用して簡便な方法にて複製世代管理を行うことができる再生方法及び記録再生方法、並びに再生装置及び記録生成装置を提供する。【解決手段】  記録再生装置は、コントロールトラック領域の情報に基づきユーザデータ領域のユーザデータを記録再生する。この際、先ず、コントロールトラック領域に格納されたロゴマーク画像など媒体固有の画像である基礎画像情報Ｖ０と、複製世代を管理するための変換画像情報Ｔｎとを読み出し、基礎画像情報Ｖ０と変換画像情報Ｔｎとの不一致率が所定の値未満のときアクセスを許可し、ディスクのユーザデータの少なくとも一部を他のディスクに記録する際、変換画像情報Ｔｎを一定割合変化させた次世代の変換画像情報Ｔｎ+１を生成し、当該他のディスクにユーザデータと共に記録する。【選択図】  図８
2007004846.tif 000002
【特許請求の範囲】
【請求項１】
管理情報領域の情報に基づきユーザデータ領域のユーザデータを再生する再生方法であって、
基礎となる基礎画像情報と複製世代を管理するための変換画像情報とに基づき前記ユーザデータ領域へのアクセスの許否を判定し、
前記判定結果に基づき、前記ユーザデータ領域へのアクセスを制御する再生方法。
【請求項２】
前記判定結果に基づき、前記ユーザデータ領域へのアクセスを禁止することを特徴とする請求項１記載の再生方法。
【請求項３】
前記変換画像情報は、前記基礎画像情報に基づき生成され、前記ユーザデータの複製世代毎に所定の変換を施されたものである
ことを特徴とする請求項１記載の再生方法。
【請求項４】
前記基礎画像情報及び変換画像情報は、前記ユーザデータ領域に記録されるユーザデータの１以上のファイル毎に用意され、当該ファイル毎に個別に前記アクセスの許否を判定する
ことを特徴とする請求項１記載の再生方法。
【請求項５】
前記アクセスが許可された場合、前記変換画像情報を一定割合変化させた次世代の変換画像情報を生成する
ことを特徴とする請求項１記載の再生方法。
【請求項６】
管理情報領域の情報に基づきユーザデータ領域のユーザデータを記録再生する再生方法であって、
一の記録媒体から読み出された、複製世代を管理するための変換画像情報を一定割合変化させた次世代の変換画像情報を生成し、
基礎となる基礎画像情報と前記次世代の変換画像情報とに基づき、前記一の記録媒体のユーザデータの複製の許否を判定し、
前記複製が許可された場合に前記一の記録媒体のユーザデータを読み出し前記他の記録媒体に前記次世代の変換画像情報と共に記録する記録再生方法。
【請求項７】
前記基礎画像情報と前記変換画像情報との不一致率が所定の値未満のとき前記複製を許可する
ことを特徴とする請求項６記載の記録媒体の記録再生方法。
【請求項８】
前記他の記録媒体に前記一の記録媒体のユーザデータを記録する際、前記次世代の変換画像情報と共に前記基礎画像情報を記録する
ことを特徴とする請求項６記載の記録媒体の記録再生方法。
【請求項９】
前記基礎画像情報及び変換画像情報は前記記録媒体の管理情報領域に記録されている
ことを特徴とする請求項６記載の記録媒体の記録再生方法。
【請求項１０】
前記基礎画像情報は、媒体供給ベンダー固有の固有画像情報である
ことを特徴とする請求項６記載の記録媒体の記録再生方法。
【請求項１１】
前記基礎画像情報は、ユーザデータ領域に記録された一の特定画像又は当該特定画像に基づき生成された画像からなる特定画像情報である
ことを特徴とする請求項６記載の記録媒体の記録再生方法。
【請求項１２】
前記次世代の変換画像情報は、前記変換画像情報内の任意の１以上のピクセルデータの位相を反転させることで生成される
ことを特徴とする請求項６記載の記録媒体の記録再生方法。
【請求項１３】
前記次世代の変換画像情報は、前記変換画像情報内の任意の１以上の列又は行分のラインデータを１ピクセル以上分移動することで生成される
ことを特徴とする請求項６記載の記録媒体の記録再生方法。
【請求項１４】
媒体供給ベンダー固有の固有画像情報、又は、ユーザデータ領域に記録された一の特定画像若しくは当該特定画像に基づき生成された画像からなる特定画像情報を照合画像情報とし、この照合画像情報を２つに分離し、一方を前記基礎画像情報とし、他方を前記変換画像情報とし、
前記基礎画像情報及び変換画像情報を合成し、当該合成した合成画像情報と前記照合画像情報の不一致率に基づき前記ユーザデータへのアクセスの許否を判定する
ことを特徴とする請求項６記載の記録媒体の記録再生方法。
【請求項１５】
前記変換画像情報は、前記ユーザデータにウォータマークとして埋め込まれる
ことを特徴とする請求項１４記載の記録媒体の記録再生方法。
【請求項１６】
前記次世代の変換画像情報は、前記変換画像情報内の任意の１以上のピクセルデータを消去することで生成される
ことを特徴とする請求項６又は１４記載の記録媒体の記録再生方法。
【請求項１７】
管理情報領域の情報に基づきユーザデータ領域のユーザデータを再生する再生装置において、
記録媒体から基礎となる基礎画像情報と複製世代を管理するための変換画像情報とを読み出しその不一致率を判定する判定部と、
前記判定部の結果に基づき前記変換画像情報を一定割合変化させた次世代の変換画像情報を生成する変換画像生成部と、
前記ユーザデータを再生する再生部とを有し、
前記判定部は、その判定結果に基づき前記再生部の前記ユーザデータへのアクセスを制御する再生装置。
【請求項１８】
前記判定部は、前記判定結果に基づき前記ユーザデータの外部への出力の許否を判定し、
前記変換画像生成部は、前記判定部に許可された場合に前記次世代の変換画像情報を生成し、
前記再生部は、前記ユーザデータ及び前記次世代の変換画像情報を出力する
ことを特徴とする請求項１７記載の再生装置。
【請求項１９】
管理情報領域の情報に基づきユーザデータ領域のユーザデータを記録再生する記録再生装置において、
一の記録媒体から複製世代を管理するための変換画像情報を読み出し当該変換画像情報を一定割合変化させた次世代の変換画像情報を生成する変換画像生成部と、
基礎となる基礎画像情報と前記次世代の変換画像情報との不一致率を判定する判定部と、
前記ユーザデータを記録再生する記録再生部とを有し、
前記判定部は、その判定結果に基づき前記一の記録媒体のユーザデータの、他の記録媒体への複製の許否を判定し、
前記記録再生部は、前記複製が許可された場合に、前記一の記録媒体から読み出したユーザデータを前記他の記録媒体へ前記次世代の変換画像と共に記録する記録生成装置。
【発明の詳細な説明】
【技術分野】
【０００１】
本発明は、記録媒体を駆動するために必要な管理情報等を含む管理情報領域等を使用し、ユーザデータ領域に記録されるユーザデータの複製世代に応じた制御が可能な再生方法及び再生装置、並びに複製世代管理が可能な記録再生方法及び記録再生装置に関する。
【背景技術】
【０００２】
情報記録媒体の応用分野として、記録情報の大量頒布や記録情報のアーカイブ保存、バックアップ保存がある。ここで、記録情報としてのコンテンツ、例えば、映画等の映像情報については、映像情報の著作権管理や不正コピー防止が求められるが、スナップ映像や子供の成長記録では、映像の編集やコピーの配布が必要になり、要求される複製管理が異なってくる。現在、レコーダー用途に用いられるデジタルバーサタイルディスク（ＤＶＤ）では、記録媒体用のコピープロテクション（Content Protection for Recordable Media：ＣＰＲＭ）を用いて複製管理を行ない、ＢＬＵ−ＲＡＹディスク（ＢＤ）でも類似の複製管理が用いられている。これらの情報は、通称コントロールトラック領域（管理情報が記録される領域、以下管理情報領域ともいう）と呼称する記録媒体の管理情報領域に格納されている。
【０００３】
なお、ＤＶＤやＢＤのような光ディスクでは画像（ユーザデータ）を記録するユーザデータ領域と光ディスクに関する管理情報を記録する管理情報領域とを有している。光ディスクの管理情報領域及びユーザデータ領域に形成される情報トラックのフォーマットは、光ディスクの種類により様々である。例えば、追記及び書き換え可能な光ディスクであるＣＤ−Ｒ及びＣＤ−ＲＷ、これらの光ディスクよりさらに高記録密度化を図った光ディスクである追記及び書き換え可能なＤＶＤ―Ｒ、ＤＶＤ−ＲＷ及びＤＶＤ−ＲＡＭ、更に高密度化を図ったＢＤフォーマット、ＨＤ（High Density）  ＤＶＤフォーマット仕様とその品種は多様であり、それぞれに対し管理情報フォーマットが定められている。
【０００４】
これらは、記録フォーマットや記録形状は異なっていても光ディスクの管理情報として光ディスクを駆動するために記録再生装置側で必要なもの、例えば、記録再生のための初期条件、媒体のベンダー情報、製造管理情報、フォーマットバージョン情報、及びセキュリティ情報等が記録される。
【０００５】
これらの光ディスクに用いられるコピープロテクション情報やセキュリティ情報は、アスキーコードが一般的であり、管理情報のひとつである媒体ベンダー情報も３〜８文字程度のコードデータで媒体メーカーを識別している。これらのコードデータは容易に解析され、不正コピーに利用されやすい。このため、複数の方法を組み合わせて不正コピー防止を図っている。一方、世代間の複製管理システム（Copy Generation Management System：ＣＧＭＳ）においても、管理情報領域の数十バイトの複製管理情報やユーザデータ領域のセクタ部に数ビットから数バイトのフラッグ情報を識別しているのみである。このようにＣＧＭＳでもコードデータを用いているため、コピープロテクション情報やセキュリティ情報と同様に単一方式のみでは、容易に不正コピーされる可能があった。
【０００６】
しかしながら、不正コピー防止のための方法を複数組み合わせることは、媒体への記録再生を行う記録再生装置を含めたシステムへの負担を大きくするので、システム構成に応じて選択される。例えばＤＶＤレコーダーでは、デジタル放送に含まれるコピープロテクション情報を検知して、ＤＶＤ媒体に記録されているＣＰＲＭを用い、上記コピープロテクション情報に含まれる情報（複製禁止、一回だけ複製可能、コピーフリー）に応じて、デジタル放送のコンテンツに複製管理情報が付与され、ＤＶＤディスク媒体のユーザデータ領域にスクランブルされたコンテンツが記録され、かつ複製管理情報が管理情報領域に記録される。
【０００７】
いずれにせよ、このような複製管理情報はコードデータ情報であって、媒体中のコンテンツと１対１の関係にあるが、使用している記録再生システム又は装置若しくは媒体とは無関係な情報である。このため、コンテンツをスクランブルするためのファンクションは複雑であっても、解析されてしまえばコンテンツの複製が容易であることを意味する。
【０００８】
一方、特許文献１、特許文献２、特許文献３に開示されているように、製造者の特定が可能なロゴマークを媒体中に目視可能な状態に記録し、かつ、この領域の記録信号を検出することで、特定の記録再生システムでのみに使用可能することができる方法も提案されている。また、特許文献４には、国際標準レコーディングコード（International Standard Recording Code：ＩＳＲＣ）と一緒にコピー回数を記録する複製回数管理方法が提案されている。
【特許文献１】特開平８−０３１００９号公報
【特許文献２】特開平７−１３０１３４号公報
【特許文献３】特再平７−０１４９９３号公報  再表９５／０１４９９３
【特許文献４】特開２０００−２９８９４１号公報
【発明の開示】
【発明が解決しようとする課題】
【０００９】
上述の特許文献１乃至４は、例えば特許文献１及び特許文献２は、ロゴマークやＤＶＤ媒体のＣＰＲＭを利用した不法又は不正コピー防止方法についての技術であり、不正コピー防止方法や不正アクセス防止方法についての技術である。一方、複製世代管理方法についてはほとんど検討されてこなかった。複製世代管理のための従来の方法としては、ＣＧＭＳフラッグ設定があるが、特に、ユーザが自由に設定できる複製世代管理方法はない。記録媒体の記録容量は年々増大しており、様々な用途に使用される。そこで、記録媒体に記録されたユーザデータの複製について自動的に複製世代管理をするようにできれば便利である。
【００１０】
本発明は、このような事情に鑑みてなされたものであり、記録媒体に固有の画像情報を利用して簡便な方法にて複製世代管理を行うことができる再生方法及び記録再生方法、並びに再生装置及び記録生成装置を提供することを目的とする。
【課題を解決するための手段】
【００１１】
上述した目的を達成するために、本発明にかかる再生方法は、管理情報領域の情報に基づきユーザデータ領域のユーザデータを再生する再生方法であって、基礎となる基礎画像情報と複製世代を管理するための変換画像情報とに基づき前記ユーザデータ領域へのアクセスの許否を判定し、前記判定結果に基づき、前記ユーザデータ領域へのアクセスを制御するものである。
【００１２】
本発明においては、基礎画像情報と複製世代を管理するための変換画像情報とに基づきユーザデータのアクセスの許否を判定するため、複製世代を変換画像情報により管理することが可能となる。
【００１３】
ここで、上記アクセスの制御は、アクセスの禁止とすることができる。これにより複製世代に応じて、ユーザデータ領域へのアクセスを禁止することができる。
【００１４】
また、前記変換画像情報は、前記基礎画像情報に基づき生成され、前記ユーザデータの複製世代毎に所定の変換を施されたものとすることができ、これにより、複製世代が進むほど変換率を大きくすることができる。
【００１５】
更に、前記基礎画像情報及び変換画像情報は、前記ユーザデータ領域に記録されるユーザデータの１以上のファイル毎に用意され、当該ファイル毎に個別に前記アクセスの許否を判定することができ、ユーザデータ全体の複製世代のみならず、ユーザデータに複数のファイルが含まれる場合には、これらの複製世代を個別に管理することができる。
【００１６】
更にまた、前記アクセスが許可された場合、前記変換画像情報を一定割合変化させた次世代の変換画像情報を生成することができ、これにより、ユーザデータを再生出力する際に、次世代変換画像情報をも出力することが可能となる。
【００１７】
本発明にかかる記録再生方法は、管理情報領域の情報に基づきユーザデータ領域のユーザデータを記録再生する再生方法であって、一の記録媒体から読み出された、複製世代を管理するための変換画像情報を一定割合変化させた次世代の変換画像情報を生成し、基礎となる基礎画像情報と前記次世代の変換画像情報とに基づき、前記一の記録媒体のユーザデータの複製の許否を判定し、前記複製が許可された場合に前記一の記録媒体のユーザデータを読み出し前記他の記録媒体に前記次世代の変換画像情報と共に記録するものである。
【００１８】
本発明においては、一の記録媒体から他の記録媒体へユーザデータを複製する際に、基礎画像情報及び変換画像情報を一定割合変化させた次世代変換画像情報に基づきその複製の許否を判定する。よってこの次世代変換画像情報によって、当該世代の複製を禁止することができる。
【００１９】
また、前記基礎画像情報と前記変換画像情報との不一致率が所定の値未満のとき前記複製を許可することができ、基礎画像情報と変換画像情報の不一致率に応じて複製許否を判定することができる。
【００２０】
更に、前記他の記録媒体に前記一の記録媒体のユーザデータを記録する際、前記次世代の変換画像情報と共に前記基礎画像情報を記録することができ、基礎画像情報を記録媒体に記録しておくことも可能である。
【００２１】
ここで、前記基礎画像情報及び変換画像情報は前記記録媒体の管理情報領域に記録しておくことができる。
【００２２】
また、前記基礎画像情報は、媒体供給ベンダー固有の固有画像情報、又はユーザデータ領域に記録された一の特定画像又は当該特定画像に基づき生成された画像からなる特定画像情報とすることができ、媒体又はユーザデータに固有の画像情報を使用することができる。
【００２３】
ここで、前記次世代の変換画像情報は、前記変換画像情報内の任意の１以上のピクセルデータの位相を反転させたり、前記変換画像情報内の任意の１以上の列又は行分のラインデータを１ピクセル以上分移動したり、又は前記変換画像情報内の任意の１以上のピクセルデータを消去する等して生成することができ、世代が進む毎に簡単な変換を施すのみで変換画像情報の更新をすることができる。
【００２４】
また、媒体供給ベンダー固有の固有画像情報、又は、ユーザデータ領域に記録された一の特定画像若しくは当該特定画像に基づき生成された画像からなる特定画像情報を照合画像情報とし、この照合画像情報を２つに分離し、一方を前記基礎画像情報とし、他方を前記変換画像情報とし、前記基礎画像情報及び変換画像情報を合成し、当該合成した合成画像情報と前記照合画像情報の不一致率に基づき前記ユーザデータへのアクセスの許否を判定することができる。
【００２５】
この場合には、前記変換画像情報は、前記ユーザデータにウォータマークとして埋め込むことができ、より安全性が高い複製世代管理を実現することができる。
【００２６】
本発明にかかる再生装置は、管理情報領域の情報に基づきユーザデータ領域のユーザデータを再生する再生装置において、記録媒体から基礎となる基礎画像情報と複製世代を管理するための変換画像情報とを読み出しその不一致率を判定する判定部と、前記判定部の結果に基づき前記変換画像情報を一定割合変化させた次世代の変換画像情報を生成する変換画像生成部と、前記ユーザデータを再生する再生部とを有し、前記判定部は、その判定結果に基づき前記再生部の前記ユーザデータへのアクセスを制御するものである。
【００２７】
本発明においては、基礎画像情報と変換画像情報の不一致率に基づきユーザデータへのアクセスを制御し、当該不一致率に基づき複製世代に応じて再生可能又は再生不能とすることができる。
【００２８】
この場合、前記判定部は、前記判定結果に基づき前記ユーザデータの外部への出力の許否を判定し、前記変換画像生成部は、前記判定部に許可された場合に前記次世代の変換画像情報を生成し、前記再生部は、前記ユーザデータ及び前記次世代の変換画像情報を出力することができ、ユーザデータと共に次世代変換画像情報を出力し、これを記録させることで、世代に応じた変換画像情報を書き込ませることができる。
【００２９】
本発明にかかる記録再生装置は、管理情報領域の情報に基づきユーザデータ領域のユーザデータを記録再生する記録再生装置において、一の記録媒体から複製世代を管理するための変換画像情報を読み出し当該変換画像情報を一定割合変化させた次世代の変換画像情報を生成する変換画像生成部と、基礎となる基礎画像情報と前記次世代の変換画像情報との不一致率を判定する判定部と、前記ユーザデータを記録再生する記録再生部とを有し、前記判定部は、その判定結果に基づき前記一の記録媒体のユーザデータの、他の記録媒体への複製の許否を判定し、前記記録再生部は、前記複製が許可された場合に、前記一の記録媒体から読み出したユーザデータを前記他の記録媒体へ前記次世代の変換画像と共に記録するものである。
【００３０】
本発明においては、ユーザデータを他の記録媒体に複製（記録）する場合には、基礎画像情報と次世代変換画像情報との不一致率に基づきその許否を判断することができる。この場合、例えば再生時においては、基礎画像情報と変換画像情報との不一致率に基づきユーザデータ領域へのアクセスの許否を判断すれば、当該世代の再生は可能であるが複製は不可とすることが可能となる。
【発明の効果】
【００３１】
本発明によれば、記録媒体に固有の画像情報を利用して簡便な方法にて複製世代管理を行うことができる再生方法及び記録再生方法、並びに再生装置及び記録生成装置を提供することができる。
【発明を実施するための最良の形態】
【００３２】
以下、本発明を適用した具体的な実施の形態について、図面を参照しながら詳細に説明する。なお、以下の実施の形態においては、記録媒体の一例としての光ディスク、特にＤＶＤ−Ｒディスクを例にとり、その記録再生装置、複製世代管理方法について説明するが、記録媒体は光ディスクに限られるものではなく、光磁気ディスク、磁気ディスク等であっても同様の方法にて複製世代管理を行うことができる。
【００３３】
実施の形態１．
図１は、本発明の実施の形態にかかる記録再生装置にて再生される光ディスクを示す図である。図１に示すように、光ディスク１はユーザデータを記録するユーザデータ領域２３と、このユーザデータ領域２３の内周側にはユーザデータの記録に関する管理情報を記録する管理情報領域（コントロールトラック領域）２２とを有する。コントロールトラック領域２２の内周側の領域２１は、通常記録には使用しない領域であり、鏡面加工されたり、溝やピット列が設けられたりする。この領域２１は、いわゆる緩衝領域として設けられ、ユーザデータ領域２３とコントロールトラック領域２２の異なるフォーマット構成を吸収する領域である。また、ユーザデータ領域２３の外周側にコントロールトラック領域２４が配置される場合もある。コントロールトラック領域２２、２４は、いずれか一方のみでも両方を配置するようにしてもよい。配置場所がいずれの場合でも、コントロールトラック領域２２、２４は、光ディスクを駆動する際にユーザデータ領域２３よりも先に再生される。本実施の形態においては、コントロールトラック領域２２を使用するものとして説明する。
【００３４】
図２は記録再生装置の構成を説明する図である。光ディスク１はスピンドルモータ５によって回転駆動される。通常、ユーザデータを再生する際には、先ず、光ヘッド２は、光ディスク１の管理情報を再生する。光ヘッド２は、光ヘッドサーボコントロールユニット６により制御され、光ディスク１のデータ記録面に、フォーカスサーボが掛けられトラッキングされる。光ヘッド２は、光ディスク１より再生信号を検出し、その再生信号を記録再生コントロールユニット４に出力する。記録再生コントロールユニット４は光ヘッド２より再生信号を入力するとともに、記録再生に必要な情報処理とスピンドルモータ５や光ヘッドサーボコントロールユニット６への指示を実行する。
【００３５】
次に、図２を参照しながら、光ディスク１の通常再生処理について説明する。記録再生装置が光ディスク１を駆動し始める前に、記録再生コントロールユニット４は、スピンドルモータ５を再生に必要な線速度を得るように回転させる。スピンドルモータ５が所定の線速度に達すると、光ヘッドサーボコントロールユニット６により光ヘッド２はフォーカスサーボが掛けられ、これにより光ディスク１の記録面にレーザ光が集光する。続いて、光ヘッド２は光ヘッドサーボコントロールユニット６によりトラッキングサーボが掛けられ、これにより光ディスク１の記録トラックにトラッキングする。その後、光ヘッド２は、コントロールトラック領域１２まで移動し、管理情報を再生する。このとき、光ヘッド２がフォーカスサーボを掛けた後に、一旦コントロールトラック領域２２、２４移動し、そしてその後にトラッキングサーボを掛けるようにしてもよい。管理情報が再生できた場合には、光ディスク１を駆動するために必要な情報により記録再生装置を設定する。例えば再生レーザ光出力値、記録レーザ光出力値、フォーマットバージョン、特定媒体メーカー用データ等の設定を実行する。
【００３６】
ここで、本実施形態にかかる記録再生装置は、光ディスク１のユーザデータ領域２３のユーザデータの複製の世代管理を行うことができるものである。複製世代管理は、基礎となる基礎画像情報と、複製世代を管理するための変換画像情報とに基づき行うことができる。変換画像情報は、基礎画像情報に基づき複製世代毎に所定の変換を施すことで複製世代が進むとその変換率も大きくなるよう生成される画像であり、記録再生装置は、これらを比較、照合することで複製世代の認定を行なう。変換画像情報は複製世代が進むほど変換率が高くなるため、例えば基礎画像情報と変換画像情報との不一致率に基づき複製世代を判定することができる。
【００３７】
また後述する照合画像情報を用意し、これを分離して基礎画像情報と変換画像情報とし、複製世代に応じて変換画像情報を変換していくことで、基礎画像情報と変換画像情報とから得られる合成画像情報と、上記照合画像情報との不一致率に基づき複製世代を判定することも可能である。
【００３８】
図３、図４は、本実施の形態にかかる記録再生装置によって複製する際のシステム構成を示す図である。図３、４に示すように、記録再生装置の記録再生コントロールユニット４は、世代管理処理を行う世代管理ユニット４１を有する。世代管理ユニット４１は、基礎画像情報及び変換画像情報に基づきユーザデータ領域２３へのアクセスの許否を判定する判定部４２と、ユーザデータを複製する際に変換画像情報を更に変換して次世代の変換画像情報とする画像変換部４３とを有する。
【００３９】
図３は、例えばＰＣ等に、複製が一度もされていないオリジナルのＤＶＤ−ＲディスクをセットしたＤＶＤドライブ（記録再生装置）１００を接続し、ＨＤＤユニットにオリジナルＤＶＤ−Ｒディスクのユーザデータを一時保存し、他のＤＶＤ−ＲディスクにＨＤＤユニットに保存したユーザデータを書き込むことで複製する場合を示している。
【００４０】
また、図４は、パーソナルコンピュータ（ＰＣ）等に接続された２台のＤＶＤドライブ（記録再生装置）１００ａ、１００ｂを使用し、一方のＤＶＤ−Ｒディスク（オリジナルＤＶＤ−Ｒディスクとする）の情報を他方のＤＶＤ−Ｒディスク（第１世代ＤＶＤ−Ｒディスクとする）に複製する場合を示している。
【００４１】
いずれにおいても、判定部４２は、先ず、光ディスク１のコントロールトラック領域を再生し、複製世代管理のための情報を読み出す。ＤＶＤ−Ｒディスクは、ＤＶＤ−Ｖｉｄｅｏディスクと同じデータ構成で記録されている。コントロールトラック領域２２には、３２キロバイト（ＫＢ）からなるコントロールデータブロックが設けられている。かかるコントロールデータブロックには、コンテンツプロバイダー情報領域が約２８ＫＢ程度存在し、テキスト情報又はコードデータにより、フリーフォーマットでの記録が可能となっている。
【００４２】
このコントロールデータブロックに、コンテンツの製作者を特定する画像を収納する場合、複数回の追記を考えると元の特定画像のデータサイズは２乃至６ＫＢ程度となる。本実施の形態においては、オリジナルとなるＤＶＤ−Ｒディスクに縦３２ピクセル、横６４ピクセルのビットマップファイルで表記できる製作者のロゴマークの画像を基礎画像情報Ｖ０として使用した場合について説明する。
【００４３】
この場合、コントロールトラック領域の例えばコンテンツプロバイダー情報領域に、ロゴマーク画像（基礎画像情報）Ｖ０及びユーザデータ領域のアクセスの許否を判定する不一致率の設定値Ｋを記録しておく。なお、後述するように、設定値Ｋはデフォルトでもユーザが設定するものとしてもよい。
【００４４】
画像変換部４３は、判定部４２がユーザデータ領域へのアクセスの許可を出した場合に、変換画像情報を生成する。１世代目の最初の変換画像情報は、例えば、基礎画像情報Ｖ０を変換して生成される。なお、変換画像情報の変換方法、生成方法についての詳細は後述する。
【００４５】
複製するＤＶＤ−Ｒディスクのコンテンツプロバイダー情報には、ビットマップファイルで記録された製作者のロゴマーク画像Ｖ０とこれを画像変換した変換画像情報としてのロゴマーク画像Ｔ１とが記録される。以下、第ｎ世代変換画像情報を変換画像情報Ｔｎと示すこととする。
【００４６】
第１世代ＤＶＤ−Ｒディスクから、更に別のＤＶＤ−Ｒディスク（以下、第２世代ＤＶＤ−Ｒディスクという）に複製を行うと、第１世代ＤＶＤ−Ｒディスクに記録されている変換画像情報（ロゴマーク画像）Ｔ１が更に画像変換され、次世代の変換画像情報としてのロゴマーク画像Ｔ２が生成され、ロゴマーク画像Ｖ０と共に記録される。この場合、ロゴマークＶ１を記録するか否かはシステムの設計事項とすることができる。
【００４７】
次に、画像変換部４３の変換画像情報生成方法について詳細に説明する。画像変換方法としては、変換画像情報における任意のラインデータをシフトする（以下、ラインシフトという）方法や、変換画像情報における任意のピクセル又はラインデータの位相を反転させる（以下、位相反転という。）方法や、変換画像情報における任意のピクセルデータを抜き取る（以下、データ抜き取りという）方法などがある。また、後述するように電子透かし技術を利用することも可能である。なお、変換画像情報の生成はこれらの方法に限るものではなく、複製世代に応じてなんらかの変換が施され、複製世代を管理できるものであればよいことはいうまでもない。
【００４８】
図５乃至図７は、変換画像情報の一例を示す図であって、それぞれラインシフト、位相反転、データ抜き取りによる変換方法を説明する図である。基礎画像情報Ｖ０は、媒体供給ベンダー固有の固有画像情報、例えばベンダーを示すロゴマークなどがある。又は、ユーザデータ領域に記録されているユーザデータの任意の一枚の画像、又は当該画像を所定の形式に変換するなどしたものであってもよい。
【００４９】
図５に示す画像変換方法は、任意の横ラインピクセルのデータ信号の位相を反転記録する方法である。図５の上図に示す基礎画像情報（オリジナルのロゴマーク画像）Ｖ０において、図５の下図に示すように、任意の一の横ラインピクセルの位相を反転したものを第１世代ＤＶＤ−Ｒディスクに記録する変換画像情報Ｔ１として生成するものである。なお、位相反転するラインは、１ラインに限らず２ライン以上であってもよく、また任意の縦ラインを１又は複数列の位相を反転してもよい。
【００５０】
図６に示す画像変換方法は、図６の上図に示すオリジナルのロゴマークからなる基礎画像情報Ｖ０において、図６の下図に示すように、任意の一の横ラインピクセルの例えば先頭にダミーピクセルを挿入し、当該横ラインの最後尾のピクセルデータを除去する。なお、任意の縦ラインに対して同様の処理を行なってもよい。また、ラインシフトさせるラインは複数列であってもよく、最後尾のピクセルを先頭に挿入してもよく、また複数ピクセル分シフトさせてもよいことは勿論である。
【００５１】
また、図５及び図６において、位相反転するライン又はシフトさせるラインは、任意のラインをランダムに選択してもよく、また、複製世代に対応して所定の順序を定め、これに従ったラインを変換するようにしてもよい。所定の順序に従って位相反転又はラインシフトさせれば、複製世代に応じて常に異なるラインを選択させるようにすることができる。これによって、変換する毎に確実に不一致率を向上することができる。
【００５２】
図７に示す画像変換方法は、図７の上図に示すオリジナルのロゴマークからなる基礎画像情報Ｖ０から、複数のピクセルを抜き取ることで図７の下図に示す変換画像情報Ｔ１を生成するものである。ここで、抜き取るピクセルは、１又は複数とすることができ、またランダムに抜き取っても、所定の抜き取りピクセルのアドレステーブル等を利用して抜き取ってもよい。テーブルを利用する場合、世代が進んでも確実に異なるピクセルを抜き取ることができ、一定の割合で変換画像情報を生成することができる。
【００５３】
以上の場合には、基礎画像情報Ｖ０、変換画像情報Ｔｎは、コントロールトラック領域に記録しておくことができる。また、基礎画像情報Ｖ０は、予めドライブ側で保持しておき、コントロールトラック領域には、変換画像情報Ｔｎのみを記録するようにしてもよい。記録再生装置は、ユーザデータを読み出す際、先ずコントロールトラック領域を読み出すため、判定部４２は、コントロールトラック領域のこれらの画像情報又はコントロール領域の変換画像情報Ｔｎ及びドライブ側で保持している基礎画像情報Ｖ０に基づきアクセス許否の判定をすることができる。
【００５４】
次に、判定部４２の判定方法について詳細に説明する。例えば図５に示す１ライン位相反転により変換画像情報を得る場合について説明する。
【００５５】
図５に示す例においては、オリジナルから１度複製された場合に生成される変換画像情報Ｔ１は、その横１ライン、６４ピクセルのデータが、基礎画像情報Ｖ０と不一致となる。ロゴマーク画像Ｔ１の基礎画像情報Ｖ０に対する不一致の値は、{６４／（３２×６４）}×１００＝約３.１（％）となる。
【００５６】
ユーザデータ領域へのアクセス不能となる不一致率Ｋを全ピクセル数に対して１０％に設定した場合であって、次世代の変換画像情報を生成する際には、異なるラインを選択できるよう設定されている場合について説明する。この場合、２世代目の変換画像情報Ｔ２と基礎画像情報Ｖ０との不一致率＝約６．３％、３世代目の変換画像情報Ｔ２と基礎画像情報Ｖ０との不一致率＝約９．４％、４世代目の変換画像情報Ｔ２と基礎画像情報Ｖ０との不一致率＝約１２．５％となる。
【００５７】
判定部４２は、３世代目までの判定の際には、現在の不一致率が設定した不一致率未満であるため、ユーザデータへのアクセスを許可し、画像変換部４３は、変換画像情報を生成する。一方、４世代目のＤＶＤ−Ｒディスクを再生する場合、判定部４２により不一致率が設定値Ｋを上回っていると判定され、ユーザデータへのアクセスが許可されない。よって第４世代ＤＶＤ−Ｒディスクは再生不能とすることができる。
【００５８】
また、３世代目のＤＶＤ−Ｒディスクから４世代目のＤＶＤ−Ｒディスクを複製する際、当該４世代目のＤＶＤ−Ｒディスクを複製しても再生できないため、これを予め世代管理ユニット４１にて検出し、ユーザへ警告等を行なうことも可能である。すなわち、３世代目のＤＶＤ−Ｒディスクは、再生はできても実質的な複製をすることができない。本実施の形態においては、このような再生不可の４世代目のＤＶＤ-Ｒディスクを複製するメリットがないため、この段階で複製不可の通知を行なうようにしてもよい。
【００５９】
ここで、本実施の形態においては、記録再生装置の再生時、すなわち図３であれは、コピー元のディスクを記録再生装置１００が再生する際、また図４であればコピー元のディスクがセットされた記録再生装置１００ａが再生する際に、基礎画像情報Ｖ０及び変換画像情報Ｔｎからユーザデータ領域へのアクセスの許否判定を行なうようにしているため、上述のように３世代目のＤＶＤ−Ｒディスクから再生不可の４世代目のＤＶＤ-Ｒディスクを複製可能とする。これに対し、記録再生装置の記録時、すなわち図３であれば、コピー先のディスクに、ＨＤＤユニット３０からのデータを記録する際、図４であれば、コピー先のディスクをセットした記録再生装置１００ｂが記録する際に、上述と同様に、画像変換部４３が４世代目の変換画像情報Ｔ４を生成し、判定部４２が、基礎画像情報Ｖ０と、生成された変換画像情報Ｔ４とからユーザデータ領域へのアクセスの許否を判定することも可能である。本例においては、不一致率が設定値の１０％を超えるため、アクセス不可、すなわち、４世代目のディスクへの記録不可とし、複製ができない旨、ユーザに通知するようにしてもよい。
【００６０】
更に、再生時及び記録時のいずれにおいても世代管理ユニット４１の判定部４２にてユーザデータ領域へのアクセスの許否、すなわち再生可能か否か又は記録可能か否かを判定するようにすることも可能である。
【００６１】
また、図６に示すラインシフトの場合は、１回の画像変換で１ラインピクセル全てが不一致になるとは限らない。すなわち、本例においては、最大６４ピクセル（約３．１％）が不一致になるが、簡単なロゴマーク画像を基礎画像情報Ｖ０とした場合には、この不一致率が低下する場合もある。また、図７に示すデータ抜き取りをランダムに行なうと、重複するピクセルデータを抜き取る場合もあり、不一致となるピクセルが抜き取るピクセル数より少なくなる場合もある。そのような場合であっても、ユーザが適宜不一致率を設定することで、複製する世代の上限を設定すればよい。このようにランダムに抜き取りをしたり、ランダムのラインデータをシフトさせたりすることで変換画像情報を生成する処理が容易となる。
【００６２】
また、常に一定の割合で不一致率を増加させるよう変換画像情報を生成したい場合には、常に異なるピクセルを抜き出せるよう予め定めたピクセルを抜き出してもよく、又は予め定めたライン順序でラインシフト又は位相反転させればよい。更に、不一致を判定する際に、１ラインの全てのピクセルが一致しない場合には、１ライン分のピクセル不一致として判定するようにしてもよい。
【００６３】
次に、図３及び図４に示すシステムにおいて、ｎ世代ＤＶＤ−Ｒディスクから（ｎ＋１）世代ＤＶＤ−Ｒディスクを複製する場合の動作について説明する。図８は、複製世代管理方法を示すフローチャート、図９は、その際のコントロールトラック領域に記録されるデータを示す模式図である。本例においては、図７に示すデータ抜き取りをすることで変換画像情報を生成する場合であって、基礎画像情報Ｖ０、変換画像情報Ｔｎをコントロールトラック領域２２に記録していく場合について説明する。なお、ここでは、変換画像情報Ｔｎを全て記録していく場合について説明するが、変換画像情報Ｔｎを順次上書きするようにしてもよいことは勿論である。また、上述したように、コントロールトラック領域に基礎画像情報Ｖ０を記録せず、ドライブ側で保持するようにしてもよい。この場合、ディスクの識別情報と共にディスクと対応づけて基礎画像情報Ｖ０を保持することも可能である。後述するように、一のディスクに対し、ユーザデータをファイル毎、フォルダ毎に世代管理を行う場合は、複数の基礎画像情報Ｖ０及び変換画像情報Ｔｎの組を有することになる。このような場合にドライブ側で基礎画像情報Ｖ０を保持する場合は、ディスクの製造番号等の識別情報と対応づけて保持しておけばよい。
【００６４】
図８に示すように、先ず、世代管理ユニット４１の判定部４２は、管理情報に含まれる基礎画像情報Ｖ０と変換画像情報Ｔｎとを読み出す（ステップＳ１）。ここで、複製が行なわれていないオリジナルＤＶＤ−Ｒディスクにおいては、変換画像情報Ｔｎが存在しない（図９上図参照）。また、オリジナルＤＶＤ−Ｒディスクは、基礎画像情報Ｖ０を予めコントロールトラック領域２２に記録していてもよいし、オリジナルＤＶＤ−Ｒディスクと判断した場合に、画像変換部４３にて生成するようにしてもよい。
【００６５】
次に、判定部４２は、基礎画像情報Ｖ０と変換画像情報Ｔｎとの不一致率を検出する。この不一致率が設定値Ｋより小さければステップＳ３に進む。この設定値Ｋはデフォルトでもよく、またユーザが所望の値を設定するようにしてもよい。この場合、ユーザが３世代までの複製を許可するなどと設定し、世代管理ユニット４１の判定部４２及び画像変換部４３が３世代までの複製を許可できる設定値Ｋを適宜計算して設定することも可能である。
【００６６】
一方、不一致率が設定値Ｋより大きい場合は、記録再生装置は、その処理を終了する。この際、記録再生装置に表示部がある場合、又は記録再生装置に接続されたＰＣ等の表示部に、再生不可のメッセージを表示したり、変換画像情報Ｔｎを表示したりしてユーザに再生不可を通知するようにしてもよい（ステップＳ１０）。
【００６７】
不一致率が設定値Ｋ未満である場合には、判定部４２はユーザデータ領域へのアクセスを許可する。この場合、画像変換部４３は、変換画像情報Ｔｎに基づき次世代の変換画像情報Ｔｎ+１を生成する（ステップＳ３、図９中図参照）。画像変換部４３は、この変換画像情報Ｔｎ＋１を出力する（ステップＳ４）。また、記録再生コントロールユニット４は、管理情報を読み出し（ステップＳ５）、ユーザデータ領域のユーザデータを読み出す（ステップＳ６）。
【００６８】
図３に示すように、ＰＣなどに記録再生装置１００とＨＤＤユニット３０とが接続されている場合は、これらの情報をＨＤＤユニット３０に一旦書き込む。また、図４に示すように、２台の記録再生装置を接続して複製を実行する場合には、一方の光ディスクから読み出されたユーザデータ等と、変換画像情報Ｔｎ+１とが他方の記録再生装置１００ｂへ送られる。この場合には、記録元となる光ディスク（マスター）を有する記録再生装置１００ａにおける世代管理ユニット４１がステップＳ１〜Ｓ４を実行する。なお、記録先（スレーブ）の光ディスクを有する記録再生装置１００ｂが同様に世代管理ユニット４１を有する場合には、記録元となる光ディスクを有する記録再生装置１００ａの判定部４２がユーザデータ領域へのアクセスを許可し、記録先の光ディスクを有する記録再生装置１００ｂの画像変換部４３が変換画像情報Ｔｎ＋１を生成してもよいことは勿論である。すなわち、再生時に次世代の変換画像情報Ｔｎ＋１を生成してもよく、記録時に次世代の変換画像情報Ｔｎ＋１を生成してもよい。いずれの場合であっても、読み出したユーザデータを記録するまで、すなわち複製までに次世代の変換画像情報Ｔｎ＋１が生成されていればよい。
【００６９】
そして、ｎ＋１世代光ディスクに対し、ユーザデータを書き込み（ステップＳ７）、管理情報を書込み（ステップＳ８）、合わせて特定画像情報Ｖ０及び変換画像情報Ｔｎ＋１を書き込む（ステップＳ９）ことで複製処理を終了する。以上のステップＳ１〜ステップＳｓ９を繰り返すことで図９下図に示すように、コントロールトラック領域２２には、複製世代分の変換画像情報Ｔ１〜Ｔｎが記録されることとなる。
【００７０】
本実施の形態においては、このように、元コンテンツ（ユーザデータ）と１対１の関係にある固有の画像情報を基礎画像情報としてコントロールトラック領域に配置し、複製の際に、基礎画像情報Ｖ０のピクセル位置を数ライン毎にシフトしたり、特定ピクセルの信号の位相反転を行ったりすることで、この元情報と比べて一定量の不一致を生じるように変換した変換画像情報Ｔ１を生成し、元情報Ｖ０と一緒にコントロールトラック領域に追記する。次の複製の際には、変換画像情報Ｔ１を変換する。これを繰り返すことで、複製する毎（複製世代が進む毎）にコントロールトラック領域に追記される画像変換された画像情報は元の画像情報と不一致となる割合が増加するため、画像変換による不一致の割合と不一致の割合に対して一定のスライスレベルを設定することで、複製回数管理／複製世代管理ができる。すなわち、複製を繰り返した媒体において、前記不一致量が一定値以上になったときに、記録再生が不能となるように記録再生システムを設定することができ、製造者の特定と複製世代管理が容易になる。
【００７１】
また、画像変換による不一致の割合と不一致の割合に対する一定のスライスレベルをユーザが設定してコントロールトラック領域に記録することも可能である。このように、ユーザによる設定を可能とすることで、自身が撮影した映像コンテンツ情報や映像を編集して作成した映像コンテンツ情報の所望の世代までの複製を許可することができるようになる。
【００７２】
こうして、画像変換処理及び複製させるか否かの判断処理をするためのプログラム（世代管理ユニット４１）を、ＤＶＤドライブを含むシステム、すなわち上述の記録再生コントロールユニット４にアプリケーションソフトウェアとして組み込むことで、所望の回数の複製の許否を可能とすることができる。
【００７３】
実施の形態２．
実施の形態１においては、元情報となる基礎画像情報として、製造者名、製造者のロゴマーク、商標など媒体ベンダー又は情報供給ベンダーを特定する固有情報などとする場合について説明したが、基礎画像情報は、その他、記録媒体を特定できる情報、記録媒体に記録されたユーザデータに対応する情報であればよい。そこで、本実施の形態においては、製造者を特定できるこの基礎画像情報として、コンテンツ内の映像１コマを使用する場合について説明する。複製管理に使用する各画像情報がユーザデータ領域に記録された映像コンテンツ情報に関連する画像情報であるため、映像コンテンツ情報の権利者である製造者の特定も容易である。
【００７４】
基礎画像情報Ｖ０として、ユーザデータ領域に記録される例えば映像コンテンツ情報を使用して複製管理をする場合には、複製管理のコントロールトラック領域２２に、ユーザユーザデータ領域に記録予定の映像コンテンツ情報から特定の１コマを画像データとして抽出する。そして、この画像データを、例えば、縦４８０ピクセル×横７２０ピクセルの画像情報に加工し、これを基礎画像情報Ｖ０とする。コントロールトラック領域にはこの基礎画像情報Ｖ０や媒体管理情報を、ユーザデータ領域には映像コンテンツ情報を含むメインデータを、ＵＤＦ（Universal Disk Format）のようなシステムファイルフォーマットとして構成したマスターデータからスタンパを作成し、再生専用媒体として複製する。または、上記マスターデータを追記型媒体に記録する。
【００７５】
コントロールトラック領域には、画像変換処理や複製制限処理のためのプログラム、又は装置側に組込まれた上述のプログラムを起動するためのコマンドが、複製が許可される回数を示す複製回数情報と共に記録されている。このように作成されたオリジナル記録媒体を別の情報媒体に複製、又は一部の情報ファイルを編集のためにハードディスクドライブ（ＨＤＤ）にコピーする場合、上述のように、画像変換部４３が、変換画像情報Ｔ１を作成する。そして、複製先の記録媒体のコントロールトラック領域又は情報ファイルの管理情報領域に、変換画像情報Ｔ１を基礎画像情報Ｖ０と共に記録する。
【００７６】
別の情報媒体への複製が実行される毎、又は情報編集後の上書きが実行される毎に、変換画像情報Ｔｎが変換画像情報Ｔ１→Ｔ２→Ｔ３・・・→Ｔｎのように随時画像変換されていく。すなわち、徐々に基礎画像情報Ｖ０との不一致の割合が増加した変換画像情報Ｔｎに変換されていき、情報媒体のコントロールトラック領域に基礎画像情報Ｖ０と共にその変換画像情報Ｔｎが記録される。そして、不一致率が設定値以上となると、次の複製は許可されないため、複製不可の情報がコントロールトラック領域に記録されることとなる。
【００７７】
また、ユーザデータ全体の複製が行なわれる場合に画像変換情報の画像変換を行なうようにする場合などにおいては、ＣＤやＤＶＤのコントロールトラック領域のように、媒体全体の複製管理をするためのリードインにあるコントロールトラック領域を使用することができる。一方、一部のユーザデータをコピーする場合に画像変換情報を更新するようにしてもよい。すなわち、データファイル毎やフォルダ毎に複製管理のためのコントロールトラック領域を付与し、各ファイル又はフォルダ毎に基礎画像情報Ｖ０及び変換画像情報Ｔｎを用意し、ファイル又はフォルダ毎の複製世代を管理してもよい。特に、著作権のある情報と著作権がない情報とが混在する場合は、情報ファイル毎に、複製管理のために、ファイル情報に関連した特定画像情報を用いてコントロールトラック領域に記録しておくことが好ましい。
【００７８】
例えばロゴマーク画像を基礎画像情報Ｖ０とすると記録媒体につき複数の基礎画像情報Ｖ０を用意することが難しくなるが、本実施の形態においては、ユーザデータから切り出して基礎画像情報Ｖ０を生成するため、基礎画像情報及びこれを変換した変換画像情報Ｔｎの組を所望の数、用意することができ、ユーザデータをいくつかに分離して個別複製世代を管理することも可能となる。
【００７９】
実施の形態３．
次に、本発明の実施の形態３について説明する。実施の形態１においては、変換画像を生成する方法、不一致率を判定する方法は、基礎画像情報Ｖ０と変換画像情報Ｔｎとの比較において行なったが、電子透かし技術を利用して複製世代を管理することも可能である。図１０は、本実施の形態における判定方法及び画像変換方法を説明するための図である。本実施の形態においては、ウォータマークの画像を変換画像情報とする。
【００８０】
先ず、ロゴマーク画像などの媒体固有の固有画像情報を照合画像情報Ｒとする。また、上述のように、映像コンテンツ情報から特定の１コマを抽出し適宜加工したものを照合画像情報Ｒとしてもよい。この照合画像情報Ｒから基礎画像情報Ｖ０と変換画像情報Ｔｎの基礎となる基礎変換画像情報Ｔ０とを生成する。本実施の形態においては、照合画像情報Ｒからランダムに複数ピクセルを抜き出したものを基礎変換画像情報Ｔ０とし、照合画像情報Ｒから基礎変換画像情報Ｔ０が抜き出されたものを基礎画像情報Ｖ０とする場合を示している。また、本実施の形態においては、判定部４２は、基礎画像情報Ｖ０と変換画像情報Ｔｎとの不一致率を判定するのではなく、基礎画像情報Ｖ０と変換画像情報Ｔｎとを合成し、合成画像情報Ｃｎを生成し、この合成画像情報Ｃｎと照合画像情報との不一致率を判定する。
【００８１】
ここで、オリジナルのディスクに記録される基礎画像情報Ｖ０及び基礎変換画像情報Ｔ０から合成された合成画像情報Ｃ０は照合画像情報Ｒに一致する。画像変換部４３は、複製世代が進む毎に、例えば変換画像情報内のピクセルを消去する。これにより、得られる合成画像情報Ｃｎと照合画像情報Ｒとの不一致率は増加していくこととなる。
【００８２】
そして、本実施の形態においては、基礎変換画像情報Ｔ０をユーザデータにウォータマークの画像として埋め込み、コントロールトラック領域には、照合画像情報Ｒ及び基礎画像情報Ｖ０と共に変換画像情報Ｔｎを読み出すための情報を記録しておくこととなる。ユーザデータを複製した場合に、ウォータマークの変換画像情報Ｔ０は複製されないようにすれば、照合画像情報Ｒに一致する合成画像情報Ｃ０が得られなくなるため、複製は１世代のみ可能となり、２世代目からの複製が不能となる。また、ウォータマークの基礎変換画像情報Ｔ０を変換した変換画像情報Ｔ１を再びウォータマークとしてユーザデータに埋め込むことで、不一致率に応じて所望の世代まで複製を可能とすることができる。
【００８３】
更に、ウォータマークの画像とする変換画像情報Ｔｎの変換においては、変換画像情報Ｔｎのピクセルデータを順次削除していくことで変換画像情報を生成するが、基礎画像情報Ｖ０においてピクセルデータを削除等していくことも可能である。すなわち、その場合には、上記基礎画像情報Ｖ０としてコントロールトラック領域に記録する画像が変換画像情報となり、ウォータマークの画像としてユーザデータに埋め込む基礎変換画像情報Ｔ０が基礎画像情報となる。いずれにしても、これらから合成画像情報Ｃｎを生成して照合画像情報Ｒと比較し、不一致率を認定することで、複製世代管理をすることができる。
【００８４】
図１１は、本実施の形態における記録再生装置の記録再生方法を示すフローチャートである。なお、本実施の形態にかかる記録再生装置の構成は実施の形態１と同様である。記録再生装置は、コピー元のディスクのコントロールトラック領域にアクセスし、照合画像情報、基礎画像情報、変換画像情報などを読み出す。ここで、複製されていないオリジナルのディスクの場合照合画像情報等を有さない。コピー元のディスクがオリジナルであると判断した場合（ステップＳ１１：Ｙｅｓ）には、以下のステップＳ１２〜ステップＳ１
４を実行する。
【００８５】
なお、これらの処理は、本実施の形態のように世代管理ユニット４１が行うことも可能であるが、予めオリジナルディスクに照合画像情報Ｒ、基礎画像情報Ｖ０、基礎変換画像情報Ｔ０を記録しておくことも可能である。
【００８６】
オリジナルと判定された場合は、先ず、ロゴマーク画像や、映像コンテンツの１コマを加工してディスクに固有の画像を生成し、これを照合画像情報Ｒとする（ステップＳ１２）。そして、この照合画像情報Ｒから基礎画像情報Ｖ０及び基礎変換画像情報Ｔ０を生成する。上述したように、基礎変換画像情報Ｔ０は、例えば、照合画像情報Ｒからランダムに複数ピクセルを抜き出したものとし、基礎画像情報Ｖ０は、照合画像情報Ｒから基礎変換画像情報Ｔ０を抜き出したものとするなどして生成する。
【００８７】
次に、この基礎画像情報Ｖ０及び照合画像情報Ｒをコントロールトラック領域に書き戻し、基礎変換画像情報Ｔ０を映像コンテンツにウォータマークの画像として埋め込む（ステップＳ１４）。ここで、ロゴマーク画像を照合画像情報Ｒとする場合等においては、照合画像情報Ｒをディスクに記録せず、記録再生装置が保持するようにしてもよい。同様に基礎画像情報Ｖ０も記録再生装置が保持するようにしてもよい。
【００８８】
次に、複製処理を開始する。オリジナルでないと判断された場合も同様にこのステップＳ１５からの処理を実行する。先ず、世代管理ユニット４１は、照合画像情報Ｒ、基礎画像情報Ｖ０、ウォータマークとして埋め込まれている変換画像情報Ｔｎを読み出す（ステップＳ１５）。判定部４２は、基礎画像情報Ｖ０と変換画像情報Ｔ０とを合成し、合成画像情報Ｃ０を生成し、読み出した照合画像情報Ｒとその不一致率を判定する（ステップＳ１６）。不一致率が所定の設定値Ｋより小さい場合（ステップＳ１７：Ｎｏ）は、ユーザデータへのアクセスが許可され、画像変換部４３は変換画像情報Ｔｎを次世代の変換画像情報Ｔｎ＋１に変換して出力する（ステップＳ１８、１９）。同時に記録再生コントロールユニット４は、管理情報、ユーザデータを順次読み出し（ステップＳ２０、２１）、ユーザデータ、管理情報をコピー先のディスクに書きこむ（ステップＳ２２．２３）。更に、コントロールトラック領域に基礎画像情報Ｖ０を書き込み、変換画像情報Ｔｎ＋１をユーザデータにウォータマークとして埋め込む（ステップＳ２４）。
【００８９】
一方、不一致率が設定値Ｋより大きい場合は、ユーザデータのアクセスは許可されず処理は終了する。この際、実施の形態１と同様に、再生不可のメッセージを表示したり、合成画像情報Ｃｎを表示することで、再生不可（複製不可）をユーザに通知するようにしてもよい。なお、複製を１世代のみ許可するように設定する場合は、ステップＳ２４においてウォータマークを埋め込まずに処理を終了すればよい。この場合、合成画像情報Ｃ１として得られるのは基礎画像情報Ｖ０となり、照合画像情報Ｒに一致せず、１世代のみの複製許可となる。
【００９０】
なお、本発明は上述した実施の形態のみに限定されるものではなく、本発明の要旨を逸脱しない範囲において種々の変更が可能であることは勿論である。例えば、上述の実施の形態における世代管理ユニットにおける世代管理処理を行うプログラムは、記録媒体に記録して提供することも可能であり、また、インターネットその他の伝送媒体を介して伝送することにより提供することも可能である。
【００９１】
また、上述の実施の形態においては、記録再生装置として説明したが、複製世代に応じて再生の許否を判断することができる再生装置、複製する際に次世代の変換画像情報を生成してからアクセスの記録の許否を判断することができる記録装置であってもよい。
【図面の簡単な説明】
【００９２】
【図１】本発明の実施の形態１にかかる記録再生装置にて再生される光ディスクを示す図である。
【図２】本発明の実施の形態１にかかる記録再生装置の構成を説明する図である。
【図３】本発明の実施の形態１にかかる記録再生装置によって複製する際のシステム構成を示す図である。
【図４】本発明の実施の形態１にかかる記録再生装置によって複製する際の他のシステム構成を示す図である。
【図５】本発明の実施の形態１における変換画像情報の一例を示す図であって、ラインシフトによる変換方法を説明する図である。
【図６】同じく、本発明の実施の形態１における変換画像情報の一例を示す図であって、位相反転による変換方法を説明する図である。
【図７】同じく、本発明の実施の形態１における変換画像情報の一例を示す図であって、データ抜き取りによる変換方法を説明する図である。
【図８】本発明の実施の形態１にかかる記録再生装置の複製世代管理方法を示すフローチャートである。
【図９】本発明の実施の形態１にかかる世代管理の際のコントロールトラック領域に記録されるデータを示す模式図である。
【図１０】本発明の実施の形態３における判定方法及び画像変換方法を説明するための図である。
【図１１】本発明の実施の形態３にかかる記録再生装置の複製世代管理方法を示すフローチャートである。
【符号の説明】
【００９３】
２  光ヘッド
４  記録再生コントロールユニット
５  スピンドルモータ
６  光ヘッドサーボコントロールユニット
１２  管理情報領域
２１  領域
２２，２４  コントロールトラック領域
２３  ユーザデータ領域
３０  ＨＤＤユニット
４１  世代管理ユニット
４２  判定部
４３  画像変換部
１００，１００ａ，１００ｂ  記録再生装置
Ｖ０  基礎画像情報
Ｔｎ  変換画像情報
Ｔ０  基礎変換画像情報
Ｒ  照合画像情報
Ｃｎ  合成画像情報
【図１】
2007004846.tif 000003
【図２】
2007004846.tif 000004
【図３】
2007004846.tif 000005
【図４】
2007004846.tif 000006
【図５】
2007004846.tif 000007
【図６】
2007004846.tif 000008
【図７】
2007004846.tif 000009
【図８】
2007004846.tif 000010
【図９】
2007004846.tif 000011
【図１０】
2007004846.tif 000012
【図１１】
2007004846.tif 000013